(57)【要約】  スマートクリップ、スマート包装袋及び物品保存管理方法を提供する。該スマートクリップは保存物を収納した包装袋を挟むことに用いられ、回路基板（１１０）、カメラ（１２０）、シール構造（１３０）及び少なくとも１つのトリガー構造（１４０）を備える。カメラ（１２０）は情報を取得し、トリガー構造（１４０）はシール構造（１３０）をトリガーして包装袋を密封し、回路基板（１１０）はカメラ回路ユニット（１１２）及びトリガー構造回路ユニット（１１４）を備え、カメラ回路ユニット（１１２）はカメラ（１２０）に通信接続され、カメラ（１２０）を制御するように配置され、トリガー構造回路ユニット（１１４）はトリガー構造（１４０）に通信接続され、トリガー構造（１４０）を制御するように配置され、トリガー構造回路ユニット（１１４）はカメラ回路ユニット（１１２）と通信し、カメラ（１２０）の取得した情報に基づきトリガー構造（１４０）を制御する。これによって、該スマートクリップは保存物の誤食又は誤用を防止できる。
2019524566.tif 000002
【特許請求の範囲】
【請求項１】
保存物を収納した包装袋を挟むことに用いられるスマートクリップであって、
回路基板と、
情報を取得するカメラと、
シール構造と、
前記シール構造をトリガーして前記包装袋を密封する少なくとも１つのトリガー構造と、を備え、
前記回路基板は、カメラ回路ユニット及びトリガー構造回路ユニットを備え、
前記カメラ回路ユニットは、前記カメラに通信接続され前記カメラを制御し、
前記トリガー構造回路ユニットは、前記トリガー構造に通信接続され前記トリガー構造を制御し、
前記トリガー構造回路ユニットは、前記カメラ回路ユニットと通信し、前記カメラの取得した情報に基づき前記トリガー構造を制御する
ことを特徴とするスマートクリップ。
【請求項２】
前記カメラの取得した情報は前記保存物の情報を含み、
前記トリガー構造回路ユニットは、前記カメラの取得した前記保存物の情報に基づき前記トリガー構造を制御する
ことを特徴とする請求項１に記載のスマートクリップ。
【請求項３】
前記保存物の情報は前記保存物の保存期限を含み、
前記回路基板は、
前記カメラ回路ユニットと通信し、前記保存物の保存期限に基づきカウントダウンを行い、前記トリガー構造回路ユニットと通信する計時回路ユニットをさらに備え、
カウントダウンがゼロになると、前記トリガー構造回路ユニットは前記トリガー構造が前記シール構造をトリガーして前記包装袋を密封するように制御する
ことを特徴とする請求項２に記載のスマートクリップ。
【請求項４】
前記カメラの取得した情報は現在のユーザーの顔情報をさらに含み、
前記回路基板は、
前記カメラ回路ユニットと通信し、前記現在のユーザーの顔情報を処理して判断し、前記トリガー構造回路ユニットと通信するプロセッサをさらに備え、
前記プロセッサの判断結果に基づき、前記トリガー構造回路ユニットは前記トリガー構造が前記シール構造をトリガーして前記包装袋を密封するように制御する
ことを特徴とする請求項１〜３のいずれか一項に記載のスマートクリップ。
【請求項５】
前記プロセッサは、前記現在のユーザーの顔情報に基づき、現在のユーザーが幼児か否かを判断し、前記プロセッサの判断結果が幼児であると、前記トリガー構造回路ユニットは前記トリガー構造が前記シール構造をトリガーして前記包装袋を密封するように制御する
ことを特徴とする請求項４に記載のスマートクリップ。
【請求項６】
前記回路基板は、多種の物品の写真又は予め入力された顔情報を記憶するメモリをさらに備え、
前記プロセッサは前記メモリと通信し、前記記憶した多種の物品の写真又は前記予め入力さらた顔情報を利用して前記保存物の種類又は前記現在のユーザーの顔情報を判断する
ことを特徴とする請求項４に記載のスマートクリップ。
【請求項７】
前記カメラは前記回路基板に設置される
ことを特徴とする請求項１〜６のいずれか一項に記載のスマートクリップ。
【請求項８】
前記少なくとも１つのトリガー構造は前記回路基板に設置される
ことを特徴とする請求項１〜６のいずれか一項に記載のスマートクリップ。
【請求項９】
前記包装袋中の前記保存物を検出し又は前記スマートクリップの状態を検出する赤外線プローブをさらに備える
ことを特徴とする請求項１〜６のいずれか一項に記載のスマートクリップ。
【請求項１０】
前記トリガー構造のそれぞれは伸縮可能なとげ構造を備え、
前記シール構造は封入バッグ及び前記封入バッグ内に封入された液体接着剤を備え、
前記伸縮可能なとげ構造はトリガーされる状態で前記封入バッグを突き破って前記液体接着剤を流出させて前記包装袋を密封する
ことを特徴とする請求項１〜６のいずれか一項に記載のスマートクリップ。
【請求項１１】
前記伸縮可能なとげ構造はトリガーされる状態で前記封入バッグ及び前記封入袋を突き破って前記液体接着剤を流出させて前記包装袋を密封する
ことを特徴とする請求項１０に記載のスマートクリップ。
【請求項１２】
前記トリガー構造のそれぞれは金属発熱片を備え、
前記シール構造は感熱性接着剤を備え、
前記金属発熱片はトリガーされる状態で通電されると発熱し、前記感熱性接着剤を加熱し溶融させ、前記包装袋を密封する
ことを特徴とする請求項１〜１１のいずれか一項に記載のスマートクリップ。
【請求項１３】
前記回路基板は、前記カメラ回路ユニットと通信し、振動を検知すると、前記カメラを動作させる振動検知回路をさらに備える
ことを特徴とする請求項１〜１１のいずれか一項に記載のスマートクリップ。
【請求項１４】
第１貫通孔を含む上蓋と、
少なくとも１つの第２貫通孔、及び前記第２貫通孔に合わせて設けられた収容溝を含む下蓋と、を備え、
前記上蓋と前記下蓋は貼り合わせてハウジングを形成し、前記収容溝は前記下蓋の前記上蓋から離れたの一側に設けられ、
前記回路基板、前記カメラ及び前記トリガー構造は前記ハウジング内に設置され、
前記カメラは前記第１貫通孔を介して前記ハウジングから露出し、各前記トリガー構造のそれぞれは前記第２貫通孔を介して前記ハウジングから露出し、
前記シール構造は前記収容溝内に設置される
ことを特徴とする請求項１〜１１のいずれか一項に記載のスマートクリップ。
【請求項１５】
一端が前記ハウジングに接続され、他端が、前記包装袋の開口部を前記ハウジングと前記挟持板との間に挟み前記ハウジングに固定される挟み部を含む挟持板をさらに備える
ことを特徴とする請求項１４に記載のスマートクリップ。
【請求項１６】
前記挟み部は、前記回路基板と通信し、指紋の検出、認識に用いられる指紋認識モジュールを備える
ことを特徴とする請求項１５に記載のスマートクリップ。
【請求項１７】
前記保存物は食品又は薬品を含む
ことを特徴とする請求項１〜１６のいずれか一項に記載のスマートクリップ。
【請求項１８】
包装袋と、
前記包装袋の開口部に設置されるスマートクリップと、を備え、
前記スマートクリップは請求項１〜１７のいずれか一項に記載のスマートクリップである
ことを特徴とするスマート包装袋。
【請求項１９】
包装袋を提供するステップと、
前記包装袋に被保存物を入れるステップと、
前記被保存物の保存期限を取得するステップと、
前記保存期限に基づきカウントダウンを行うステップと、
カウントダウンがゼロになると、前記包装袋を自動的に密封するステップと、を含む
ことを特徴とする物品保存管理方法。
【請求項２０】
前記被保存物の種類情報を取得するステップと、
前記被保存物が薬品であれば、現在のユーザーの顔情報又は指紋情報を取得するステップと、
前記現在のユーザーの顔情報又は前記指紋情報に基づき、現在のユーザーが成人か幼児かを判断するステップと、
現在のユーザーが幼児であると判断すると、前記包装袋を密封するステップと、をさらに含む
ことを特徴とする請求項１９に記載の物品保存管理方法。
【請求項２１】
前記被保存物の種類情報又は保存期限を取得するステップは、
カメラを利用して前記被保存物の種類情報又は保存期限を取得するステップを含む
ことを特徴とする請求項１９又は２０に記載の物品保存管理方法。
【請求項２２】
振動を検出し、振動を検出した場合、前記カメラを動作させるステップをさらに含む
ことを特徴とする請求項２１に記載の物品保存管理方法。
【請求項２３】
前記包装袋を密封するステップは、
伸縮可能なとげ構造を利用し、液体接着剤が封入された封入バッグを突き破って前記液体接着剤を流出させて前記包装袋を密封するステップを含む
ことを特徴とする請求項１９〜２２のいずれか一項に記載の物品保存管理方法。
【請求項２４】
前記包装袋を密封するステップは、
金属発熱片を利用し、感熱性接着剤を加熱して溶融させて前記包装袋を密封するステップを含む
ことを特徴とする請求項１９〜２２のいずれか一項に記載の物品保存管理方法。
【発明の詳細な説明】
【技術分野】
【０００１】
本発明の実施例はスマートクリップ、スマート包装袋及び物品保存管理方法に関する。
【背景技術】
【０００２】
通常、食品や薬品等を使用する際に、食品や薬品等は１回で使い切らないことが多い。この場合、再使用するために、残りの食品や薬品等を保存する必要がある。クリップを用いて、食品や薬品等を保存した袋を挟むことは、簡単的、効率的、経済的な手法である。
二次元コード又はバーコードはデータ情報を記録するための白黒交互のパターンである。画像入力装置又は光電走査装置によって二次元コード又はバーコードを走査することで、情報を自動的に読み取り又は情報を自動的に処理することができる。また、二次元コード又はバーコードは日常生活ではよく見られ、あらゆる食品や薬品はその製品情報を記録する二次元コード又はバーコードを有すると言っても過言ではない。
【発明の開示】
【０００３】
本発明の少なくとも１つの実施例はスマートクリップ、スマート包装袋及び物品保存管理方法を提供する。該スマートクリップは保存物を収納した包装袋を挟むことに用いられ、回路基板、カメラ、シール構造及び少なくとも１つのトリガー構造を備える。カメラは情報を取得し、トリガー構造はシール構造をトリガーして包装袋を密封し、回路基板はカメラ回路ユニット及びトリガー構造回路ユニットを備え、前記カメラ回路ユニットは前記カメラに通信接続され、前記カメラを制御し、前記トリガー構造回路ユニットは前記トリガー構造に通信接続され、前記トリガー構造を制御し、前記トリガー構造回路ユニットは前記カメラ回路ユニットと通信し、前記カメラの取得した情報に基づき前記トリガー構造を制御する。これによって、該スマートクリップは新型スマート家庭用装置を提供し、カメラの取得した情報に基づきトリガー構造がシール構造をトリガーするように制御し、それにより、保存物の保存期間が切れ、又は保存物が食用・使用不能になった場合、包装袋を密封して、保存物の誤食又は誤用を防止する。
【０００４】
本発明の少なくとも１つの実施例は、保存物を収納した包装袋を挟むことに用いられ、回路基板と、情報を取得するカメラと、シール構造と、前記シール構造をトリガーして前記包装袋を密封する少なくとも１つのトリガー構造と、を備え、前記回路基板はカメラ回路ユニット及びトリガー構造回路ユニットを備え、前記カメラ回路ユニットは前記カメラに通信接続され、前記カメラを制御し、前記トリガー構造回路ユニットは前記トリガー構造に通信接続され前記トリガー構造を制御し、前記トリガー構造回路ユニットは前記カメラ回路ユニットと通信し、前記カメラの取得した情報に基づき前記トリガー構造を制御する、スマートクリップを提供する。
【０００５】
たとえば、本発明の一実施例に係るスマートクリップでは、前記カメラの取得した情報は前記保存物の情報を含み、前記トリガー構造回路ユニットは前記カメラの取得した前記保存物の情報に基づき前記トリガー構造を制御する。
【０００６】
たとえば、本発明の一実施例に係るスマートクリップでは、前記保存物の情報は前記保存物の保存期限を含み、前記回路基板は計時回路ユニットをさらに備え、前記計時回路ユニットは前記カメラ回路ユニットと通信し、前記保存物の保存期限に基づきカウントダウンを行い、前記計時回路ユニットは前記トリガー構造回路ユニットと通信し、カウントダウンがゼロになると、前記トリガー構造回路ユニットは前記トリガー構造が前記シール構造をトリガーして前記包装袋を密封するように制御する。
【０００７】
たとえば、本発明の一実施例に係るスマートクリップでは、前記カメラの取得した情報は現在のユーザーの顔情報をさらに含み、前記回路基板はプロセッサをさらに備え、前記プロセッサは前記カメラ回路ユニットと通信し、前記現在のユーザーの顔情報を処理して判断し、前記プロセッサは前記トリガー構造回路ユニットと通信し、前記トリガー構造回路ユニットは前記プロセッサの判断結果に基づき前記トリガー構造が前記シール構造をトリガーして前記包装袋を密封するように制御する。
【０００８】
たとえば、本発明の一実施例に係るスマートクリップでは、前記プロセッサは前記現在のユーザーの顔情報に基づき現在のユーザーが幼児であるか否かを判断し、前記プロセッサの判断結果が幼児である場合、前記トリガー構造回路ユニットは前記トリガー構造が前記シール構造をトリガーして前記包装袋を密封するように制御する。
たとえば、本発明の一実施例に係るスマートクリップでは、前記回路基板はメモリをさらに備え、前記メモリは多種の物品の写真又は予め入力された顔情報を記憶し、前記プロセッサは前記メモリと通信し、前記記憶された多種の物品の写真又は前記予め入力された顔情報を使用して、前記保存物の種類又は前記現在のユーザーの顔情報を判断する。
【０００９】
たとえば、本発明の一実施例に係るスマートクリップでは、前記カメラは前記回路基板に設置される。
たとえば、本発明の一実施例に係るスマートクリップでは、前記少なくとも１つのトリガー構造は前記回路基板に設置される。
たとえば、本発明の一実施例に係るスマートクリップは、前記包装袋中の前記保存物を検出し又は前記スマートクリップの状態を検出する赤外線プローブをさらに備える。
【００１０】
たとえば、本発明の一実施例に係るスマートクリップでは、前記トリガー構造のそれぞれは伸縮可能なとげ構造を備え、前記シール構造は封入バッグ及び前記封入バッグ内に封入された液体接着剤を備え、前記伸縮可能なとげ構造はトリガーされる状態で前記封入バッグを突き破って前記液体接着剤を流出させて前記包装袋を密封する。
たとえば、本発明の一実施例に係るスマートクリップでは、前記伸縮可能なとげ構造は、トリガーされる状態において、前記封入バッグ及び前記封入袋を突き破って前記液体接着剤を流出させて前記包装袋を密封する。
【００１１】
たとえば、本発明の一実施例に係るスマートクリップでは、前記トリガー構造のそれぞれは金属発熱片を備え、前記シール構造は感熱性接着剤を備え、前記金属発熱片はトリガーされる状態で通電され発熱し、前記感熱性接着剤を加熱して溶融させて前記包装袋を密封する。
たとえば、本発明の一実施例に係るスマートクリップでは、前記回路基板は振動検知回路をさらに備え、前記振動検知回路は前記カメラ回路ユニットと通信し、振動を検知すると、前記カメラを動作させる。
【００１２】
たとえば、本発明の一実施例に係るスマートクリップは、第１貫通孔を含む上蓋と、少なくとも１つの第２貫通孔及び前記第２貫通孔に合わせて設けられる収容溝を含む下蓋と、をさらに備え、前記上蓋と前記下蓋は貼り合わせてハウジングを形成し、前記収容溝は前記下蓋の前記上蓋から離れた一側に設けられ、前記回路基板、前記カメラ及び前記トリガー構造は前記ハウジング内に設置され、前記カメラは前記第１貫通孔を介して前記ハウジングから露出し、各前記トリガー構造のそれぞれは前記第２貫通孔を介して前記ハウジングから露出し、前記シール構造は前記収容溝内に設置される。
【００１３】
たとえば、本発明の一実施例に係るスマートクリップは、一端が前記ハウジングに接続され、他端が、前記包装袋の開口部を前記ハウジングと前記挟持板との間に挟み前記ハウジングに固定される挟み部を含む挟持板をさらに備える。
たとえば、本発明の一実施例に係るスマートクリップでは、前記挟み部は、前記回路基板と通信し、指紋の検出、認識に用いられる指紋認識モジュールを備える。
たとえば、本発明の一実施例に係るスマートクリップでは、前記保存物は食品又は薬品を含む。
【００１４】
本発明の少なくとも１つの実施例は、包装袋と、前記包装袋の開口部に設置されるスマートクリップとを備え、前記スマートクリップは上記いずれか一項に記載のスマートクリップであるスマート包装袋を提供する。
本発明の少なくとも１つの実施例は、包装袋を提供するステップと、前記包装袋に被保存物を入れるステップと、前記被保存物の保存期限を取得するステップと、前記保存期限に基づきカウントダウンを行うステップと、カウントダウンがゼロになると、前記包装袋を自動的に密封するステップと、を含む物品保存管理方法を提供する。
【００１５】
たとえば、本発明の一実施例に係る物品保存管理方法は、前記被保存物の種類情報を取得するステップと、前記被保存物が薬品であれば、現在のユーザーの顔情報又は指紋情報を取得するステップと、前記現在のユーザーの顔情報又は前記指紋情報に基づき現在のユーザーが成人か幼児かを判断するステップと、現在のユーザーが幼児であると判断すると、前記包装袋を密封するステップと、をさらに含む。
【００１６】
たとえば、本発明の一実施例に係る物品保存管理方法では、前記被保存物の種類情報又は保存期限を取得するステップは、カメラを使用して前記被保存物の種類情報又は保存期限を取得するステップを含む。
たとえば、本発明の一実施例に係る物品保存管理方法は、振動を検出し、振動を検出すると、前記カメラを動作させるステップをさらに含む。
【００１７】
たとえば、本発明の一実施例に係る物品保存管理方法では、前記包装袋を密封するステップは、液体接着剤が封入された封入バッグを伸縮可能なとげ構造で突き破って前記液体接着剤を流出させて前記包装袋を密封するステップを含む。
たとえば、本発明の一実施例に係る物品保存管理方法では、前記包装袋を密封するステップは、金属発熱片を使用して感熱性接着剤を加熱して溶融させて前記包装袋を密封するステップを含む。
【図面の簡単な説明】
【００１８】
本開示の実施例に係る技術案をより明確に説明するために、以下、実施例の図面を簡単に説明し、勿論、後述する図面は本開示のいくつかの実施例のみに関し、本開示を限定するものではない。
【図１】本発明の一実施例に係るスマートクリップを示す分解模式図である。
【図２】本発明の一実施例に係るスマートクリップの回路基板の内部モジュールを示す模式図である。
【図３】本発明の一実施例に係るスマートクリップの回路基板及び回路基板に設置されたほかの部材を示す構造模式図である。
【図４】本発明の一実施例に係る別のスマートクリップの回路基板を示す模式図である。
【図５】本発明の一実施例に係るスマートクリップの動作を示すフローチャートである。
【図６ａ】本発明の一実施例に係るスマートクリップのトリガー構造を示す構造模式図である。
【図６ｂ】本発明の一実施例に係るスマートクリップのシール構造を示す構造模式図である。
【図７】本発明の一実施例に係るスマートクリップを示す構造模式図である。
【図８】本発明の一実施例に係るスマート包装袋を示す構造模式図である。
【図９】本発明の一実施例に係る物品保存管理方法を示すフローチャートである。
【発明を実施するための形態】
【００１９】
本開示の実施例の目的、技術案及び利点をより明確にするために、以下、本開示の実施例の図面を参照して、本開示の実施例の技術案を明確且つ、完全に説明する。勿論、説明する実施例は本開示の一部の実施例であり、すべての実施例ではない。説明する本開示の実施例に基づいて、当業者が創造的な労働を必要とせずに想到し得るほかの実施例はすべて、本開示の保護範囲に属する。
特に定義しない限り、本開示に使用される技術用語又は科学用語は、当業者が理解する一般的な意味である。本開示では、「第１」、「第２」及び類似する用語は順番、数又は重要性を示すのではなく、異なる構成要素を区別するものに過ぎない。「備える」又は「含む」などのような用語は該用語前に現れた素子又はデバイスが該用語後に挙げられた素子又はデバイス及びその同等物を含み、且つほかの素子又はデバイスを排除しないことを意味する。「接続」又は「連結」などのような用語は物理的又は機械的接続に限定されず、直接か間接に関わらず電気的結合を含む。
研究した結果、現在、若者が外で働いている時に、通常、老人や子供のみが留守番することは現代社会の多くの家庭の一般的な状態である。食品や薬品の製造日、保存期限等をはっきり見えなく、又は理解できないため、多くの老人や幼児は保存期間の切れた食品や薬品を誤食し、体に多少の害を及ぼしてしまう場合がある。さらに、幼児は薬品を誤食して死亡し、家族の悲劇となってしまうこともある。
【００２０】
本発明の実施例はスマートクリップ、スマート包装袋及び物品保存管理方法を提供する。該スマートクリップは、保存物を収納した包装袋を挟むことに用いられ、回路基板、カメラ、シール構造及び少なくとも１つのトリガー構造を備える。カメラは情報を取得し、トリガー構造はシール構造をトリガーして包装袋を密封し、回路基板はカメラ回路ユニット及びトリガー構造回路ユニットを備え、カメラはカメラ回路ユニットと通信しカメラ回路ユニットに制御され、トリガー構造はトリガー構造回路ユニットと通信しトリガー構造回路ユニットに制御され、トリガー構造回路ユニットはカメラ回路ユニットと通信し、カメラの取得した情報に基づきトリガー構造を制御する。これによって、該スマートクリップは新型スマート家庭用装置を提供し、カメラの取得した情報に基づき、トリガー構造がシール構造をトリガーするように制御することによって、保存物の保存期間が切れ、保存物が食用・使用不能な場合、包装袋を密封し、保存物の誤食又は誤用を防止する。
以下、図面を参照して本発明の実施例に係るスマートクリップ、スマート包装袋及び物品保存管理方法を説明する。
【実施例１】
【００２１】
本実施例は、保存物を収納した包装袋を挟むことに用いられ、図１に示すように、回路基板１１０、カメラ１２０、シール構造１３０及び少なくとも１つのトリガー構造１４０を備えるスマートクリップを提供する。カメラ１２０は、たとえば、保存物の情報又は現在のユーザーの顔情報等の情報の取得に用いられる。トリガー構造１４０はシール構造１３０をトリガーして包装袋を密封することに用いられる。なお、カメラ１２０の取得した情報は、たとえば、保存物の画像情報、保存物の製造日、保存期限等の情報に関連する二次元コード又はバーコードの画像情報、及び現在のユーザーの顔情報等の情報を含む。
【００２２】
図２はスマートクリップの回路基板の内部モジュールを示す模式図であり、図２に示すように、回路基板１１０はカメラ回路ユニット１１２及びトリガー構造回路ユニット１１４を備え、カメラ１２０はカメラ回路ユニット１１２と通信（たとえば、有線接続又は無線接続の方式）し、カメラ回路ユニット１１２によって制御され、すなわち、カメラ回路ユニット１１２はカメラ１２０に通信接続され、カメラ１２０を制御するように配置され、トリガー構造１４０はトリガー構造回路ユニット１１４と通信し、トリガー構造回路ユニット１１４によって制御され、すなわち、トリガー構造回路ユニット１１４はトリガー構造１４０に通信接続され、トリガー構造１４０を制御するように配置され、トリガー構造回路ユニット１１４はカメラ回路ユニット１１２と通信し、カメラ１２０の取得した情報に基づき、トリガー構造１４０を制御する。
【００２３】
本実施例に係るスマートクリップでは、カメラ回路ユニットはカメラを、たとえば、保存物の情報（たとえば、保存物の種類、製造日及び保存期限等の情報）又は現在のユーザーの顔情報等の方法を取得させるように制御する。カメラ回路ユニットはトリガー構造回路ユニットと通信するため、トリガー構造回路ユニットはカメラの取得した情報に基づき、トリガー構造がシール構造をトリガーして、保存物の保存期間が切れ、又は現在のユーザーが保存物を食用・使用不能になる場合、包装袋を密封するように制御する。この場合、シール構造は包装袋を密封し、本実施例のスマートクリップを開けても、包装袋がシール構造に密封されるため、包装袋を開けることができず、保存物の誤食又は誤用を防止する。また、シール構造は交換可能であるため、シール構造がトリガーされた後、本実施例に係るスマートクリップはシール構造を交換することによって、スマートクリップの再使用を実現できる。なお、上記通信は有線方式（たとえば、信号線によって接続される）又は無線方式（たとえば、ｗｉｆｉ信号によって接続される）によって行われ、上記通信は直接通信又は間接通信である。また、上記「現在のユーザー」とは包装を開けている又は開けようとする人又は動物である。
【００２４】
なお、上記「挟む」とは、スマートクリップが包装袋をしっかり挟むことを意味し、包装袋内の保存物が外部と隔離された状態となり、スマートクリップの包装袋に対する挟む力を設定することによって、包装袋を外部の水や酸素から隔離させ、保存物をよりよく保存できる。また、スマートクリップを開けることで包装袋を開放させて、保存物を入れ又は取り出すことができる。上記「密封」とは、スマートクリップを開けても、包装袋がシール構造に密封されるため、包装袋を開けることができず、保存物を入れ又は取り出すことができないことを意味する。
【００２５】
たとえば、本実施例の一例に係るスマートクリップでは、シール構造は交換可能な接着剤を含む。トリガー構造によって交換可能な接着剤の流動性を回復させる。たとえば、液体シーラントを収納した包装袋を突き破り又は加熱して溶融させることで、包装袋を密封する。勿論、本発明の実施例はこれを含むが、これに限定されず、シール構造はシールストリップ、スナップ構造等のシール構造を用いてもよい。
【００２６】
たとえば、本実施例の一例に係るスマートクリップでは、カメラの取得した情報はたとえば、保存物の種類、製造日及び保存期限等の保存物の情報を含む。トリガー構造回路ユニットはカメラの取得した保存物の情報に基づきトリガー構造を制御する。
【００２７】
たとえば、カメラが保存物包装袋上の二次元コード又はバーコードを走査する（たとえば、二次元コード又はバーコードの画像を取得する）ように制御することにより、該保存物の種類、製造日及び保存期限等を取得できる。勿論、本発明の実施例はこれを含むがこれに限定されず、カメラが保存物の写真を撮影するように制御し、保存物の種類等の情報をスマートにマッチングしもよい。また、対応した情報のない保存物に対し、プロセッサに接続され信号伝送ができる情報入力ユニットを設置し、トリガー構造と同様な制御効果を実現するようにしてもよい。
【００２８】
たとえば、本実施例の一例に係るスマートクリップでは、保存物の情報は保存物の保存期限を含み、このばあに、図２に示すように、回路基板１１０は、さらに、計時回路ユニット１１５を備える。計時回路ユニット１１５、カメラ回路ユニット１１２と通信し、保存物の保存期限に基づきカウントダウンを行い、トリガー構造回路ユニット１１４と通信し、カウントダウンがゼロになると、トリガー構造回路ユニット１１４はトリガー構造１４０がシール構造１３０をトリガーして包装袋を密封するように制御する。これによって、本実施例に係るスマートクリップは、保存物の保存期限切れると、包装袋を自動的に密封して誤食を防止し、ユーザーの健康や安全を確保できる。なお、保存物の情報はさらに保存物の製造日を含んでもよく、計時回路ユニットは保存物の製造日と保存期限を計算してカウントダウンを行う。保存物の製造日から本実施例に係るスマートクリップを使用するため、計時回路ユニットは保存期限のみに基づきカウントダウンを行ってもよい。また、本実施例に係るスマートクリップを用いて保存物を収容した包装袋を挟むたびに、保存物が使い切れる前、１回だけ保存物の情報を取得してカウントダウンを行えばよい。
【００２９】
たとえば、本実施例の一例に係るスマートクリップでは、カメラの取得した情報はさらに現在のユーザーの顔情報を含み、この場合、図２に示すように、回路基板１１０は、カメラ回路ユニット１１２と通信し、カメラ回路ユニット１１２から現在のユーザーの顔情報を取得し、それを処理して判断するプロセッサ１１１をさらに備える。プロセッサ１１１はさらにトリガー構造回路ユニット１１４と通信し、トリガー構造回路ユニット１１４はプロセッサ１１１の判断結果に基づき、トリガー構造１４０がシール構造１３０をトリガーして包装袋を密封するように制御する。これによって、本実施例に係るスマートクリップは現在のユーザーを判断し、現在のユーザーが包装袋中の保存物を食用又は使用する権限を有するか否かを判断し、現在のユーザーが権限を有さないと、包装袋を密封し、又は、現在のユーザーが幼児であるか否かを判断し、現在のユーザーが幼児であると、包装袋を密封して幼児が保存物を誤用又は誤食することを防止し、それにより幼児の健康や安全を確保する。なお、現在のユーザーの顔情報は現在のユーザーの虹彩情報を含んでもよい。
【００３０】
たとえば、カメラは現在のユーザーの顔情報を取得した後、プロセッサは該顔情報を受信して処理し、該顔情報によって判断を行う。たとえば、カメラと人間の目との距離によって現在のユーザーが幼児であるか成人であるかを判断し、現在のユーザーの両眼間の距離によってユーザーが幼児であるか成人であるかを判断する。勿論、本発明の実施例はこれを含むがこれに限定されず、プロセッサは成人と幼児の顔情報のほかの相違点によって現在のユーザーが幼児であるか成人であるかを判断してもよい。
【００３１】
たとえば、包装袋の保存物が薬品である場合、プロセッサは現在のユーザーの顔情報に基づき現在のユーザーが幼児であるか否かを判断し、プロセッサの判断結果として幼児であると、トリガー構造回路ユニットはトリガー構造がシール構造をトリガーして包装袋を密封するように制御し、それにより幼児が薬品を誤食することを防止し、さらに幼児の健康を保護する。
【００３２】
たとえば、包装袋の保存物が刃物である場合、プロセッサは現在のユーザーの顔情報に基づき現在のユーザーが幼児であるか否かを判断し、プロセッサの判断結果として幼児であると、トリガー構造回路ユニットはトリガー構造がシール構造をトリガーして包装袋を密封するように制御し、幼児が刃物を使用することを防止し、さらに幼児の安全を保護する。
【００３３】
たとえば、本実施例の一例に係るスマートクリップでは、図２に示すように、回路基板１１０は、多種の物品の写真又は予め入力した顔情報を記憶するメモリ１１３をさらに備え、プロセッサ１１１はメモリ１１３と通信して、多種の物品の写真又は予め入力した顔情報を使用して保存物の種類又は現在のユーザーの顔情報を判断する。
たとえば、メモリ１１３が多種の物品の写真を記憶している場合、プロセッサ１１１はカメラ１２０の撮影した保存物の写真とメモリに記憶されている多種の物品の写真をマッチングし、保存物の種類を判断する。
【００３４】
たとえば、メモリ１１３が予め入力した顔情報（たとえば、写真）を記憶している場合、プロセッサ１１１はカメラ１２０の取得したユーザーの顔情報と予め入力した顔情報をマッチングし、判断を行う。たとえば、予め入力した顔情報はユーザーの家にいる老人、幼児、及び若者の写真を含んでもよい。プロセッサ１１１はカメラ１２０の取得した現在のユーザーの顔情報と予め入力した顔情報をマッチングすることで、現在のユーザーがユーザーの家にいる人であるか否かを判断し、さらにユーザーが幼児、老人それとも若者であるかを判断することができる。
【００３５】
なお、上記プロセッサとメモリは１つの集積回路ユニットとして集積されてもよい。また、異なる機能及び異なる機能の組合せを実現するように、上記計時回路ユニット、プロセッサ及びメモリは単独に存在してもよく、同時に存在してもよい。
【００３６】
たとえば、回路基板はプリント基板（Ｐｒｉｎｔｅｄ  Ｃｉｒｃｕｉｔ  Ｂｏａｒｄ、ＰＣＢ）をさらに備え、カメラ回路ユニットとトリガー構造回路ユニットはプリント基板に集積される。なお、回路基板１１０はフレキシブル回路基板であってもよく、この場合、回路基板１１０はフレキシブルプリント基板（Ｆｌｅｘｉｂｌｅ  Ｐｒｉｎｔｅｄ  Ｃｉｒｃｕｉｔ  Ｂｏａｒｄ、ＦＰＣＢ）を含んでもよい。
【００３７】
たとえば、回路基板は回路基板に対する水や酸素からの侵食を防ぐ絶縁層をさらに備え、本実施例に係るスマートクリップの耐用年数を延長させる。
たとえば、本実施例の一例に係るスマートクリップでは、図３に示すように、カメラ１２０は回路基板１１０に設けられる。この場合、カメラ１２０は導線を介してカメラ回路ユニット１１２と通信し、勿論、本発明の実施例はこれを含むがこれに限定されず、カメラはさらに無線方式によってカメラ回路ユニットと通信してもよい。
【００３８】
たとえば、本実施例の一例に係るスマートクリップでは、図３に示すように、トリガー構造１４０は回路基板１１０に設置される。この場合、トリガー構造１４０は導線を介してトリガー構造回路ユニット１１４と通信し、勿論、本発明の実施例はこれを含むがこれに限定されず、トリガー構造はさらに無線方式によってトリガー構造回路ユニットと通信してもよい。
【００３９】
たとえば、本実施例の一例に係るスマートクリップでは、図３に示すように、該スマートクリップは、包装袋中の保存物を検出する赤外線プローブ１５０をさらに備える。これによって、本実施例に係るスマートクリップは赤外線プローブによって包装袋中に保存物があるか否かを判断する。
たとえば、赤外線プローブ１５０はトリガー構造回路ユニット１１４と通信してもよい。これによって、トリガー構造回路ユニットがトリガー構造を制御して包装袋を密封する前、赤外線プローブを使用して包装袋中に保存物があるか否かを判断し、包装袋中に保存物があると、トリガー構造回路ユニットはトリガー構造を制御して包装袋を密封し、包装袋中に保存物がないと、包装袋を密封せず、シール構造の浪費を減少させ、不必要な時に包装袋を密封することを回避する。
【００４０】
たとえば、本実施例の一例に係るスマートクリップでは、図３に示すように、赤外線プローブ１５０は回路基板１１０のうちカメラ１２０と対向する一側に設置される。これによって、赤外線プローブ１５０はさらに本実施例に係るスマートクリップの状態を検出することができ、すなわち、本実施例に係るスマートクリップが開放状態であるか閉鎖状態であるかを検出する。これによって、該スマートクリップはトリガー構造回路ユニットを備え、トリガー構造がシール構造をトリガーして包装袋を密封するように制御する過程は、赤外線プローブ１５０の提供するスマートクリップの状態情報に基づき、スマートクリップの閉鎖状態時のみに開始する。これによって、スマートクリップの開放状態では、シール構造が包装袋中に落ち保存物を汚染することを防止する。なお、上記「開放状態」とは、スマートクリップが包装袋を挟んでおらず、包装袋が開けられている状態であり、上記「閉鎖状態」とは、スマートクリップが包装袋を挟み、包装袋が閉じられている状態である。
【００４１】
たとえば、本実施例の一例に係るスマートクリップでは、図３に示すように、該スマートクリップは、回路基板１１０に設けられて回路基板１１０に給電する電池１９０をさらに備える。
たとえば、本実施例の一例に係るスマートクリップでは、図４に示すように、回路基板１１０は、カメラ回路ユニット１１２と通信し、振動の検知に用いられ、振動を検知すると、カメラ１２０を動作させる振動検知回路１１７をさらに備える。これによって、本実施例に係るスマートクリップがタッチされると、生じた振動が振動検知回路により検出され、この場合、振動検知回路がカメラを動作させ、カメラが、たとえば、現在のユーザーの顔情報を取得し始め、上記判断ステップを行う。
【００４２】
たとえば、本実施例の一例に係るスマートクリップでは、保存物は食品又は薬品を含む。図５は本実施例に係るスマートクリップの動作を示すフローチャートである。図５に示すように、スマートクリップが振動を検出すると、カメラは動作を開始し、この場合、カメラを使用して保存物の情報を記録した二次元コード又はバーコードを走査し、保存物の種類及び保存期限等の情報を取得することができる。保存物の保存期限を取得した場合、食品や薬品にかかわらず、スマートクリップはカウントダウンを開始し、クリップが閉鎖する場合、カウントダウンがゼロになると、トリガー構造がシール構造をトリガーして包装袋を密封するように制御する。保存物の種類を取得した場合、保存物が薬品であれば、スマートシールが振動を検出した時、カメラを動作させて現在のユーザーの顔情報を取得し、現在のユーザーが成人か幼児かを判断し、現在のユーザーが幼児であると判断した場合、トリガー構造がシール構造をトリガーして包装袋を密封するように制御する。勿論、本発明の実施例はこれを含むがこれに限定されず、本実施例に係るスマートクリップを利用してほかの機能を実現してもよい。
【実施例２】
【００４３】
実施例１に基づき、本実施例はスマートクリップを提供し、図６ａに示すように、各トリガー構造は伸縮可能なとげ構造１４０であり、図６ｂに示すように、シール構造１３０は液体接着剤１３１及び封入バッグ１３２を備え、液体接着剤１３１は封入バッグ１３２内に封入されており、伸縮可能なとげ構造１４０はトリガーされる状態で封入バッグ１３２を突き破って液体接着剤１３１を流出させ、液体接着剤１３１が包装袋の開口部で凝固して包装袋を密封する。なお、液体接着剤は包装袋の開口部を囲む環状体を形成して包装袋の開口部を密封することができる。
【００４４】
たとえば、本実施例の一例に係るスマートクリップでは、伸縮可能なとげ構造１４０はトリガーされる状態で封入バッグ１３２と包装袋を同時に突き破って液体接着剤１３１を流出させて包装袋を密封する。包装袋も突き破られたため、液体接着剤１３１が包装袋の開口部の内側に入り、包装袋をより強固に密封する。
【００４５】
たとえば、図６に示すように、伸縮可能なとげ構造１４０はスリーブ１４１及びスリーブ１４１内に設置されスリーブ１４１から延出可能なとげ１４２を備える。
たとえば、本実施例の一例に係るスマートクリップでは、トリガー構造は金属発熱片を備え、シール構造は感熱性接着剤を備え、金属発熱片は、トリガーされる状態で通電されると発熱し、感熱性接着剤を加熱して溶融させて包装袋を密封する。なお、金属発熱片は伸縮可能なとげ構造に合わせて使用してもよく、単独に使用してもよい。
【００４６】
たとえば、本実施例の一例に係るスマートクリップでは、図７に示すように、該クリップは上蓋１６０及び下蓋１７０を備え、上蓋１６０と下蓋１７０は貼り合わせてハウジング１６５を形成する。回路基板１１０、カメラ１２０及びトリガー構造１４０がハウジング１６５内に設置されることによって、ハウジング１６５は回路基板１１０、カメラ１２０及びトリガー構造１４０に対する保護効果を実現できる。図１に示すように、上蓋１６０は第１貫通孔１６２を含み、カメラ１２０は第１貫通孔１６２を介してハウジング１６５から露出し、下蓋１７０は少なくとも１つの第２貫通孔１７２及び第２貫通孔１７２に対応して設けられる収容溝１７４を含み、収容溝１７４が下蓋１７０の上蓋１６０から離れた一側に設けられ、各トリガー構造１４０のそれぞれは第２貫通孔１７２を介してハウジングから露出し、シール構造１３０は収容溝１７４内に設置される。これによって、各トリガー構造１４０は第２貫通孔１７２によりシール構造１３０をトリガーして包装袋を密封する。たとえば、金属発熱片はハウジング１６５内に設けられ、この場合、第２貫通孔１７２内のトリガー構造１４０は熱伝導機能を実現できる（図示せず）。金属発熱片は下蓋１７０とシール構造１３０との間に設置されてもよく、トリガー機能を必要とする時、金属発熱片はシール構造１３０を加熱すればよい（図示せず）。
【００４７】
たとえば、本実施例の一例に係るスマートクリップでは、上蓋の第１貫通孔が設けられた部分は、カメラが現在のユーザーの顔情報を容易に取得できるために現在のユーザーの注意を引き付けるように、円形又はハート形としてもよい。勿論、上蓋の第１貫通孔が設けられた部分に、現在のユーザーの注意を引き付けるように発光素子が設けられてもよく、本発明の実施例では制限しない。
【００４８】
たとえば、本実施例の一例に係るスマートクリップでは、図７に示すように、該スマートクリップは挟持板１８０をさらに備える。挟持板１８０は一端がハウジング１６５に接続され、他端が、ハウジング１６５に固定され包装袋の開口部をハウジング１６５と挟持板１８０との間に挟む挟み部１８２を備える。
【００４９】
たとえば、図７に示すように、挟持板１８０の一端が弾性部品１８６を介して下蓋１７０に接続され、ハウジング１６５との接続を実現する。また、弾性部品１８６が弾性を有するため、挟持板１８０が弾性部品１８６を軸として回転することで、ハウジング１６５に接近又は離間する。挟持板１８０の他端に設置された挟み部１８２に合わせて、挟持板１８０は包装袋の開口部をハウジング１６５と挟持板１８０の間に挟む。なお、挟持板の一端が上蓋に接続されてハウジングとの接続を実現してもよく、また、挟持板の一端がヒンジ部材を介して上蓋又は下蓋に接続されてもよく、本発明の実施例では限定しない。
【００５０】
たとえば、挟持板１８０は弾性部品１８６と上蓋１６０又は下蓋１７０と一体成形される。
たとえば、挟み部１８２は第３貫通孔１８２０を備え、下蓋１７０の挟み部１８２に近い一端に合わせて突出部１７５が設置され、突出部１７５が第３貫通孔１８２０に入り込んで第３貫通孔１８２０と締まり嵌め又は係合して包装袋を挟む。なお、挟み部はほかの構造又は方式でハウジングに固定され、包装袋の開口部をハウジングと挟持板との間に挟んでもよく、本発明の実施例では限定しない。
【００５１】
たとえば、本実施例の一例に係るスマートクリップでは、図７に示すように、挟持板１８０は、回路基板１１０と通信し、指紋の検出、認識に用いられる指紋認識モジュール１８４を備える。これによって、本実施例に係るスマートクリップは指紋を検出し認識することで現在のユーザーが包装袋中の保存物を食用又は使用する権限があるか否かを判断し、又は現在のユーザーが幼児であるか否かを判断する。
【００５２】
たとえば、本実施例の一例に係るスマートクリップでは、図７に示すように、指紋認識モジュール１８４は挟持板１８０の挟み部１８２に設置される。現在のユーザーが本実施例に係るスマートクリップを開ける時、必ず挟持板１８０の挟み部１８２にタッチするため、指紋認識モジュール１８４を挟持板１８０の挟み部１８２に設置することで、本実施例に係るスマートクリップをより使い易く、実用性を高くすることができる。
【実施例３】
【００５３】
本実施例はスマート包装袋を提供し、図８に示すように、該包装袋は包装袋２０１及びスマートクリップ１００を備え、スマートクリップ１００は包装袋２０１の開口部２０１０に設置され開口部２０１０を挟む。スマートクリップ１００は上記実施例のいずれかに記載のスマートクリップである。本実施例に係るスマート包装袋は、包装袋を別途提供せずに、被保存物（たとえば、食品又は薬品）を直接に保存できる。また、該スマート包装袋は上記実施例のいずれかに記載スマートクリップを備え、従って、該スマート包装袋は備えられたスマートクリップに対応した機能及び効果を有し、具体的な説明は実施例１及び実施例２の関連説明を参照すればよく、ここで重複説明を省略する。
【実施例４】
【００５４】
本実施例は物品保存管理方法を提供し、図９に示すように、該物品保存管理方法は以下のステップ４０１−４０５を含む。
ステップ４０１、包装袋を提供する。なお、上記包装袋は被保存物固有の包装袋であってもよく、別途提供された包装袋であってもよい。
ステップ４０２、前記包装袋に被保存物を入れる。
ステップ４０３、被保存物の保存期限を取得する。
たとえば、二次元コード又はバーコードを走査することで被保存物の保存期限を取得する。
ステップ４０４、保存期限に基づきカウントダウンを行う。
たとえば、タイマー又は計時回路ユニットによって保存物の製造日と保存期限を計算してカウントダウンを行う。なお、被保存物が製造日から包装袋に収納されたため、タイマー又は計時回路ユニットは保存期限のみに基づきカウントダウンを行ってもよい。
ステップ４０５、カウントダウンがゼロになると、前記包装袋を自動的に密封する。
たとえば、シーラントによって包装袋の開口部を密封することによって、該包装袋を密封する。
【００５５】
本実施例に係る物品保存管理方法では、被保存物の保存期限に基づきカウントダウンを行い、カウントダウンがゼロになると、包装袋を自動的に密封し、それにより保存期間の切れた被保存物の誤食又は誤用を防止できる。
たとえば、本実施例の一例に係る物品保存管理方法では、被保存物の種類情報を取得するステップと、被保存物が薬品であれば、現在のユーザーの顔情報又は指紋情報を取得するステップと、現在のユーザーの顔情報又は指紋情報に基づき、現在のユーザーが成人か幼児かを判断するステップと、ユーザーが幼児であると判断すると、前記包装袋を密封するステップと、をさらに含む。これによって、本実施例に係る物品管理保存方法は幼児が薬品を誤食することを防止し、さらに幼児の健康と安全を確保できる。
【００５６】
たとえば、本実施例の一例に係る物品保存管理方法では、被保存物の種類情報又は保存期限を取得するステップについて、カメラを使用して被保存物の種類情報又は保存期限を取得することができる。たとえば、カメラが被保存物が記録された二次元コード又はバーコードを走査して、被保存物の種類情報又は保存期限を取得する。勿論、本発明の実施例はこれを含むがこれに限定されず、カメラが保存物の写真を撮影するように制御し、保存物の種類等の情報をスマートにマッチングしてもよい。また、対応する情報のない保存物に対して、プロセッサに接続され信号伝送する情報入力ユニットを設置し、更にトリガー構造と同様な制御効果を実現するようにしてもよい。
【００５７】
たとえば、本実施例の一例に係る物品保存管理方法では、振動を検出し、振動を検出すると、カメラを動作させて、被保存物の種類情報又は保存期限を取得し始めるステップをさらに含む。
たとえば、本実施例の一例に係る物品保存管理方法では、保存物は食品又は薬品を含む。振動を検出すると、カメラは動作を開始し、この場合、カメラを利用して、保存物の情報が記録された二次元コード又はバーコードを走査し、保存物の種類及び保存期限等の情報を取得する。保存物の保存期限を取得すると、食品か薬品かにもかかわらず、カウントダウンを開始し、カウントダウンがゼロになると、包装袋を密封する。保存物の種類を取得した場合、保存物が薬品であれば、振動を検出した時、カメラを動作させて現在のユーザーの顔情報を取得し、それにより現在のユーザーが成人か幼児かを判断し、現在のユーザーが幼児であると判断すると、包装袋を密封する。
【００５８】
たとえば、本実施例の一例に係る物品保存管理方法では、シール包装袋は伸縮可能なとげ構造を使用して、液体接着剤が封入された封入バッグを突き破って液体接着剤を流出させて包装袋を密封する。
たとえば、本実施例の一例に係る物品保存管理方法では、シール包装袋は金属発熱片を使用して感熱性接着剤を加熱して溶融させて包装袋を密封することができる。
【００５９】
なお、
（１）本発明の実施例の図面では、本発明の実施例に関する構造のみが示され、ほかの構造は通常設計を参照すればよい。
（２）矛盾しないかぎり、本発明の同一実施例及び異なる実施例の特徴を相互に組み合わせることができる。
（３）本発明の実施例の回路ユニットについて、当業者は対応するハード回路を構築して対応する機能を実現でき、前記ハード回路は通常の超大規模集積（ＶＬＳＩ）回路又はゲートアレイ及びロジックチップ、トランジスタのような従来の半導体又はほかの独立した素子等を備える。
【００６０】
以上、本開示の実施形態を説明したが、本開示の保護範囲はそれに限定されるものではない。当業者が本開示の技術的範囲を逸脱せずに容易に想到し得る変更や置換はすべて、本開示の保護範囲に属する。従って、本開示の保護範囲は特許請求の範囲の保護範囲に準じる。
本願は２０１６年０８月１１日に出願した中国特許出願第２０１６１０６５７２１４．５号の優先権を主張し、ここで、上記中国特許出願の全内容は援用により本願の一部として組み込まれる。
【符号の説明】
【００６１】
１００  スマートクリップ
１１０  回路基板
１１１  プロセッサ
１１２  カメラ回路ユニット
１１３  メモリ
１１４  トリガー構造回路ユニット
１１５  計時回路ユニット
１１７  振動検知回路
１２０  カメラ
１３０  シール構造
１３１  液体接着剤
１３２  封入バッグ
１４０  トリガー構造
１４１  スリーブ
１５０  赤外線プローブ
１６０  上蓋
１６２  貫通孔
１６５  ハウジング
１７０  下蓋
１７２  貫通孔
１７４  収容溝
１７５  突出部
１８０  挟持板
１８２  挟み部
１８４  指紋認識モジュール
１８６  弾性部品
２０１  包装袋
１８２０  貫通孔
２０１０  開口部
【図１】
2019524566.tif 000003
【図２】
2019524566.tif 000004
【図３】
2019524566.tif 000005
【図４】
2019524566.tif 000006
【図５】
2019524566.tif 000007
【図６ａ】
2019524566.tif 000008
【図６ｂ】
2019524566.tif 000009
【図７】
2019524566.tif 000010
【図８】
2019524566.tif 000011
【図９】
2019524566.tif 000012
【国際調査報告】
2019524566.tif 000013
2019524566.tif 000014
2019524566.tif 000015
2019524566.tif 000016